(57)【特許請求の範囲】
【請求項１】
設定トルクが解放されるとオンになるロータリスイッチを備えたトルクドライバーであって、上記のロータリスイッチが、握りの基端部に主軸と軸心を同一にして取り付けられた固定部と、この固定部に軸心を同一にして回転自在に連結された通電リング受けと、この通電リング受けに軸心を同一にして連結されたソケットと、又一端が主軸に連結されると共に固定部と対応する位置に電極端子を備えた電極シャフトとで形成され、上記の固定部に、上記電極端子の突条電極部にトルク解放時に接触する通電端子が設けられ、上記の通電リング受けに、外側リングと内側リングとが電極シャフトを中心にして同心状に設けられ、上記のソケットに、このソケットから引き出されたカウンター接続コードと、上記の外側リング及び内側リングとを電気的に接続するプラグが設けられ、上記電極端子の突条電極部が、トルク解放鋼球の配設位置に対応して電極シャフトの周面に軸方向に延びて複数形成され、上記の外側リングが、上記の固定部に同心状に配設された押えリングに圧接されてこの押えリングを介して通電端子と電気的に接続され、上記の内側リングが、電極端子の側面電極部に圧接されて電気的に接続されたことを特徴とするトルクドライバー。
【請求項２】
請求項１記載のトルクドライバーであって、電極端子が、キャップ状に形成されると共に、電極シャフトの径が拡大された拡大径部に嵌着されてなることを特徴とするトルクドライバー。
【請求項３】
請求項１記載のトルクドライバーに用いるロータリスイッチであって、握りの基端部に主軸と軸心を同一にして取り付けられた固定部と、この固定部に軸心を同一にして回転自在に連結された通電リング受けと、この通電リング受けに軸心を同一にして連結されたソケットと、又一端が主軸に連結されると共に固定部と対応する位置に電極端子を備えた電極シャフトとで形成され、上記の固定部に、上記電極端子の突条電極部にトルク解放時に接触する通電端子が設けられ、上記の通電リング受けに、外側リングと内側リングとが電極シャフトを中心にして同心状に設けられ、上記のソケットに、このソケットから引き出されたカウンター接続コードと、上記の外側リング及び内側リングとを電気的に接続するプラグが設けられ、上記電極端子の突条電極部が、トルク解放鋼球の配設位置に対応して電極シャフトの周面に軸方向に延びて複数形成され、上記の外側リングが、上記の固定部に同心状に配設された押えリングに圧接されてこの押えリングを介して通電端子と電気的に接続され、上記の内側リングが、電極端子の側面電極部に圧接されて電気的に接続されたことを特徴とするロータリスイッチ。
【請求項４】
請求項３記載のロータリスイッチであって、電極端子が、キャップ状に形成されると共に、電極シャフトの径が拡大された拡大径部に嵌着されたことを特徴とするロータリスイッチ。
【発明の詳細な説明】
【０００１】
【発明の属する技術分野】
本発明は、手動式のトルクドライバーに関し、更に詳しくはネジ締め回数をカウントできるよう、設定トルクが解放されるとオンになるロータリスイッチ付きのトルクドライバー及びこのドライバーに用いるロータリスイッチに関するものである。
【０００２】
【従来の技術】
従来この種のトルクドライバーとしては、例えば設定トルクの解放を磁気センサで検出し、このセンサからの検出信号を、接続コードを介してカウンターに送り、このカウンターでネジの締付け回数を計数できるよう、形成したものがある（例えば特開平６２−２３６６８０号公報等参照）。
【０００３】
【発明が解決しようとする課題】
ところで離れた場所にカウンターを配置し、このカウンターとコードを介して接続し、ネジの締め付け回数を確認、表示できるよう形成したトルクドライバーの場合、ネジを締め付ける回動操作によってコードが捩じれ、ネジ締め作業に支障を来すことがある。従ってこの種のドライバーは、コードの捩じれを防止でき、又設定トルクの解放時に誤動作することなく、確実に信号を出力できるよう形成されているのが望ましい。
【０００４】
しかるに従来品は、トルクの解放を検出する磁気センサを備えた支持板が把手部材と共に回転するため、磁気センサに接続された電線が把手部材の回動操作で捩じれる、という不利益があった。
【０００５】
又従来品は、磁気センサでトルクの解放を検出するため誤動作することがあり、更に従来品の場合はこの種のセンサが把手部材の内部に組み込まれていたから、全く新規に設計し直さなければならず、従って例えば既存のトルクドライバーを手直しすることで、この種のカウンター機能付きに簡単に変更する、ということができなかった。
【０００６】
本発明は、従来のこのような問題点に鑑み、提案されたものである。
従って本発明は、スイッチから引き出されたコードの捩じれを防止でき、スイッチング性能が良くなるよう形成したトルクドライバーを提供することにある。
【０００７】
又本発明は、コードの捩じれを防止でき、スイッチング性能が良いだけではなく、既存のトルクドライバーを後加工で簡単にこの種のカウンター機能付きのトルクドライバーに変更できるロータリスイッチを提供することにある。
【０００８】
【課題を解決するための手段】
本発明は、上記の課題を解決するために、次のような技術的手段を採る。
【０００９】
即ち本発明は、図１に示されるように、設定トルクが解放されるとオンになるロータリスイッチ１を備えたトルクドライバーであって、上記のロータリスイッチ１が、握り２の基端部２ａに主軸５と軸心を同一にして取り付けられた固定部６と、この固定部６に軸心を同一にして回転自在に連結された通電リング受け７と、この通電リング受け７に軸心を同一にして連結されたソケット８と、又一端が主軸５に連結されると共に固定部６と対応する位置に電極端子１１を備えた電極シャフト９とで形成され、上記の固定部６に、上記電極端子１１の突条電極部１１ａにトルク解放時に接触する通電端子１０が設けられ、上記の通電リング受け７に、外側リング１４と内側リング１５とが電極シャフト９を中心にして同心状に設けられ、上記のソケット８に、このソケット８から引き出されたカウンター接続コード４と、上記の外側リング１４及び内側リング１５とを電気的に接続するプラグ１９が設けられ、上記電極端子１１の突条電極部１１ａが、トルク解放鋼球１３の配設位置に対応して電極シャフト９の周面に軸方向に延びて複数形成され、上記の外側リング１４が、上記の固定部６に同心状に配設された押えリング１６に圧接されてこの押えリング１６を介して通電端子１０と電気的に接続され、上記の内側リング１５が、電極端子１１の側面電極部１１ｂに圧接されて電気的に接続されたことを特徴とする（請求項１）。
【００１０】
ここで、トルク解放とは、設定トルクより大きな回転力が握り２に加わったとき、図１２、図１３に示されるように、トルク解放鋼球１３がクラッチ盤１２の受け部１２ａから脱する状態をいう。
【００１１】
又ここで、外側リング１４を押えリング１６に圧接させるのは、外側リング１４と通電端子１０との電気的な接続を維持できながら、通電リング受け７が固定部６に対し自由に回転できるようにするためからである。内側リング１５を側面電極部１１ｂに圧接するのも、同様の理由からである。具体的には、外側リング１４、内側リング１５を、バネやゴム材で弾発することで達成される。
【００１２】
又本発明は、電極端子１１が、キャップ状に形成されると共に、電極シャフト９の径が拡大された拡大径部９ａに嵌着されてなるのが好ましい（請求項２）。
【００１３】
この場合は、電極端子１１がキャップ状であるから、拡大径部９ａに圧入することで簡単に形成でき、又拡大径部９ａにより電極シャフト９の周面距離が長くなるから、突条電極部１１ａと通電端子１０との接触を、正確、確実にできる。
【００１４】
又本発明のトルクドライバーに用いるロータリスイッチ１としては、握り２の基端部２ａに主軸５と軸心を同一にして取り付けられた固定部６と、この固定部６に軸心を同一にして回転自在に連結された通電リング受け７と、この通電リング受け７に軸心を同一にして連結されたソケット８と、又一端が主軸５に連結されると共に固定部６と対応する位置に電極端子１１を備えた電極シャフト９とで形成され、上記の固定部６に、上記電極端子１１の突条電極部１１ａにトルク解放時に接触する通電端子１０が設けられ、上記の通電リング受け７に、外側リング１４と内側リング１５とが電極シャフト９を中心にして同心状に設けられ、上記のソケット８に、このソケット８から引き出されたカウンター接続コード４と、上記の外側リング１４及び内側リング１５とを電気的に接続するプラグ１９が設けられ、上記電極端子１１の突条電極部１１ａが、トルク解放鋼球１３の配設位置に対応して電極シャフト９の周面に軸方向に延びて複数形成され、上記の外側リング１４が、上記の固定部６に同心状に配設された押えリング１６に圧接されてこの押えリング１６を介して通電端子１０と電気的に接続され、上記の内側リング１５が、電極端子１１の側面電極部１１ｂに圧接されて電気的に接続されたことを特徴とするものがある（請求項３）。
【００１５】
この場合、本発明のロータリスイッチ１は、電極端子１１が、キャップ状に形成されると共に、電極シャフト９の径が拡大された拡大径部９ａに嵌着されてなるのが好ましい（請求項４）。
【００１６】
【発明の実施の形態】
以下、本発明ドライバー及びロータリスイッチの好適な一実施形態を添付図面に従って説明する。
【００１７】
図１等において、１は設定トルクが解放されるとオンになるロータリスイッチであり、２はこのロータリスイッチ１が取り付けられた握りである。又３は、ネジの締め付け回数を計数するカウンターである。このカウンター３と上記のロータリスイッチ１とは、カウンター接続コード４を介して電気的に接続される。
【００１８】
上記のロータリスイッチ１は、握り２の基端部２ａに主軸５と軸心を同一にして取り付けられた固定部６と、この固定部６に軸心を同一にして回転自在に連結された通電リング受け７と、この通電リング受け７に軸心を同一にして連結されたソケット８と、又一端が主軸５に連結されると共に、固定部６と対応する位置に電極端子１１を備えた電極シャフト９とで形成されている。なお固定部６は、図２、図３に示されるように、ネジ孔６ａを備え、このネジ孔６ａを介して握り２の基端部２ａにネジ止めされるものである。
【００１９】
１０は、電極端子１１にトルク解放時に接触する通電端子である。この通電端子１０は、導電性のピン１０ａで固定部６に取り付けられ、電極端子１１の隣り合う突条電極部１１ａの間に配置されている（図１４鎖線状態参照）。１６は、押えリングである。この押えリング１６は、ピン１０ａで通電端子１０と一緒に固定部６に取り付けられている。
【００２０】
電極端子１１は、この実施形態ではキャップ状に形成され、電極シャフト９の径が拡大された拡大径部９ａに嵌着されて形成されている。そして突条電極部１１ａは、クラッチ盤１２（図１２参照）に形成されたトルク解放鋼球１３の配設位置に対応して電極シャフト９の周面に軸方向に延びて複数形成されている。この実施形態の場合、鋼球１３はクラッチ盤１２の受け部１２ａに等間隔に６個配設されているため、突条電極部１１ａは拡大径部９ａの周面に、６個等間隔に形成されている。
【００２１】
上記の通電リング受け７は、外側リング１４と内側リング１５とを、電極シャフト９を中心にして同心状に備えてなる。外側リング１４は、固定部６に同心状に配設された押えリング１６に圧接され、この押えリング１６を介して通電端子１０と電気的に接続されている。又内側リング１５は、電極端子１１の側面電極部１１ｂに圧接されて電気的に接続されている。１７は、外側リング１４を弾発するコイルスプリングであり、１８は内側リング１５を弾発するコイルスプリングである。
【００２２】
又１９は、上記のソケット８に設けられたプラグである。このプラグ１９は、ソケット８から引き出されたカウンター接続コード４と、上記の外側リング１４及び内側リング１５とを電気的に接続するものである。外側リング１４とプラグ１９とは、電線２０で接続され、内側リング１５とプラグ１９とは電線２１で接続されている。なお外側リング１４と内側リング１５には、電線２０、２１を通して半田付けするための孔１４ａ、１５ａが開口されている。
【００２３】
上記の電極シャフト９は、他端９ｂが通電リング受け７に挿通されている。そしてこの電極シャフト９の他端９ｂに、通電リング受け７の抜け落ちを防止する止め具２２としてのナットが取り付けられ、これにより通電リング受け７が固定部６に回転自在に連結されるものである。なお２４（図１、図２参照）は、トルクの調整ネジである。
【００２４】
次にこの実施形態に係る本発明の作用を説明する。
本発明の場合、握り２を回してネジを締め付けるときは、電極シャフト９が主軸５と共に回転する。通電端子１０は突条電極部１１ａの間に配設され、その位置関係は握り２を回転操作している間は変わらない。従って本発明の場合、ネジを締め付け操作中は、通電端子１０と電極端子１１とが非接触状態にあり、電流が流れない。
【００２５】
又本発明の場合は、固定部６に通電リング受け７が、フリーの状態で連結されているから、握り２は固定部６と共に自由に回転し、接続コード４を捩じることがない。
【００２６】
而して設定トルクより大きな回転力が握り２に加わると、図１３に示されるように、クラッチ盤１２の受け部１２ａから鋼球１３が脱し、握り２が空転する（トルクの解放状態）。すると固定部６に設けられた通電端子１０が、握り２と共に僅かに回転し、図１４に示されるように、電極端子１１の突条電極部１１ａに接触する。
【００２７】
この場合本発明では、側面電極部１１ｂに内側リング１５が圧接されているから、ネジの締め付けが完了すると（トルクが解放されると）、外側リング１４、押えリング１６、通電端子１０、突条電極部１１ａ、側面電極部１１ｂ、内側リング１５が電気的に接続され、回路が閉じられる。その結果、電流が流れ、カウンター３でネジの締め付け数が計数される。
【００２８】
【発明の効果】
以上説明したように本発明のトルクドライバーは、握りの基端部に固定部を取り付け、この固定部に通電リング受けをフリーの状態で連結し、トルク解放時に回路が閉じて電流が流れるよう形成したものである。
【００２９】
従ってこれを使用すれば、カウンター接続コードを捩じることがないから、作業時にコードの捩じれを戻すような煩わしい操作を一掃できる。又本発明の場合は、トルク解放時に電極端子の突条電極部と通電端子とが電気的に接続し回路が閉じるものであるから、トルク解放を機械的に確実に検出できる。
【００３０】
又本発明ロータリスイッチの場合は、接続コードの捩じれを防止でき、機械的な仕組みでトルク解放を確実に検出できるだけではなく、握りの基端部に取り付けて主軸に電極シャフトを接続することで利用できるから、これによれば既存のトルクドライバーを簡単にこの種カウンター機能付きのものに変更できる、という利点がある。
【図面の簡単な説明】
【図１】本発明の好適な一実施形態を示す一部を切欠した要部断面図である。
【図２】本発明の要部分解図である。
【図３】図２のIIIーIII線から見た固定部の拡大底面図である。
【図４】図２のＩＶーＩＶ線における通電リング受けの拡大断面図である。
【図５】外側リングを示し、Ａは正面図、ＢはＡのＢーＢ線断面図である。
【図６】内側リングを示し、Ａは正面図、ＢはＡのＢーＢ線断面図である。
【図７】図２のＶIIーＶII線から見たソケットの拡大平面図である。
【図８】図２のVIIIーVIII線における電極シャフトの拡大断面図である。
【図９】図８のＩＸーＩＸ線における断面図である。
【図１０】押えリングを示し、Ａは正面図、ＢはＡのＢーＢ線断面図である。
【図１１】本発明とカウンターとの接続状態を示す一部を切欠した正面図である。
【図１２】本発明の要部断面図である。
【図１３】トルク解放時の鋼球の状態を示す要部断面図である。
【図１４】本発明の作用を説明するための要部断面図である。
【図１５】本発明の通電時の要部断面図である。
【符号の説明】
１    ロータリスイッチ
２    握り
２ａ  基端部
４    接続コード
５    主軸
６    固定部
７    通電リング受け
８    ソケット
９    電極シャフト
１０  通電端子
１１  電極端子
１１ａ  突条電極部
１１ｂ  側面電極部
１３  トルク解放鋼球
１４  外側リング
１５  内側リング
１６  押えリング
１９  プラグ
【図１】
0004331298.tif 000002
【図２】
0004331298.tif 000003
【図３】
0004331298.tif 000004
【図４】
0004331298.tif 000005
【図５】
0004331298.tif 000006
【図６】
0004331298.tif 000007
【図７】
0004331298.tif 000008
【図８】
0004331298.tif 000009
【図９】
0004331298.tif 000010
【図１０】
0004331298.tif 000011
【図１１】
0004331298.tif 000012
【図１２】
0004331298.tif 000013
【図１３】
0004331298.tif 000014
【図１４】
0004331298.tif 000015
【図１５】
0004331298.tif 000016